(57)【特許請求の範囲】
【請求項１】
第１上面、前記第１上面に形成された複数の第１上面導電パッド、前記第１上面とは反対側の第１下面、前記第１下面に形成された複数の第１下面導電パッド、前記第１下面に形成された複数のテスト用導電パッド、および前記複数の第１上面導電パッドと前記複数のテスト用導電パッドをそれぞれ電気的に接続する複数の第１配線を有する第１配線基板と、
前記第１配線基板の前記第１上面に搭載された第１半導体チップと、
第２上面、前記第２上面に形成された複数の第２上面導電パッド、前記第２上面とは反対側の第２下面、前記第２下面に形成された複数の第２下面導電パッド、および前記複数の第２上面導電パッドと前記複数の第２下面導電パッドをそれぞれ電気的に接続する複数の第２配線を有し、前記第２下面が前記第１上面と対向するように前記第１配線基板上に積層された第２配線基板と、
前記第２配線基板の前記第２上面に搭載された、前記第１半導体チップとは異なる機能の第２半導体チップと、
前記第１配線基板の前記複数の第１下面導電パッドにそれぞれ接続された複数のバンプ電極と、
を含み、
前記複数のテスト用導電パッドは、前記複数の第１上面導電パッドとそれぞれ電気的に接続されており、
前記複数の第２下面導電パッドは、前記複数の第１上面導電パッドとそれぞれ電気的に接続されており、
前記複数の第２上面導電パッドは、前記複数の第２下面導電パッドとそれぞれ電気的に接続されており、
前記複数の第１上面導電パッドは、平面視において前記第１半導体チップの周囲に配置され、かつ、平面視において前記第１半導体チップよりも前記第１上面の周縁部側に配置されており、
前記複数のテスト用導電パッドは、平面視において前記複数の第１下面導電パッドの周囲に配置され、かつ、平面視において前記複数の第１下面導電パッドよりも前記第１下面の周縁部側に配置されており、
前記複数の第２下面導電パッドは、平面視において前記第２配線基板の前記第２下面の周縁部に配置されており、
前記複数のバンプ電極は、前記複数のテスト用導電パッドにそれぞれ接続されていないことを特徴とする半導体装置。
【請求項２】
前記第１配線基板は、ビルドアップ工法によって製造されたものであることを特徴とする請求項１記載の半導体装置。
【請求項３】
前記第１配線基板の絶縁層は、繊維に樹脂を含浸させたプリプレグによって構成されていることを特徴とする請求項２記載の半導体装置。
【請求項４】
前記第１配線基板の平面形状は、矩形状からなり、
前記第１半導体チップは、前記第１配線基板の前記第１上面に形成された複数の第３上面導電パッド上にフリップチップ実装されており、
前記複数の第３上面導電パッドは、前記第１配線基板の辺と平行な方向に沿って２列に配置され、かつ内側の列の第３上面導電パッドと外側の列の第３上面導電パッドは、千鳥状に配置されていることを特徴とする請求項１記載の半導体装置。
【請求項５】
前記第１配線基板の前記第１下面に形成された前記複数のテスト用導電パッドは、前記外側の列の第３上面導電パッドに電気的に接続されていることを特徴とする請求項４記載の半導体装置。
【請求項６】
前記第１配線基板の前記第１下面に形成された前記複数のテスト用導電パッドの一部は、一端が前記外側の列の第３上面導電パッドよりも外側に延在する内層配線を介して前記内側の列の第３上面導電パッドに電気的に接続されていることを特徴とする請求項４記載の半導体装置。
【請求項７】
前記複数のテスト用導電パッドに電気的に接続された前記外側の列の第３上面導電パッドは、前記第１配線基板の前記第１上面のコーナー部およびその近傍に配置されていることを特徴とする請求項５記載の半導体装置。
【請求項８】
前記第１配線基板は、電源プレーン層を構成する内層配線と、ＧＮＤプレーン層を構成する内層配線とを含む多層配線基板であることを特徴とする請求項１記載の半導体装置。
【請求項９】
前記第１半導体チップの外部接続端子の数は、前記第２半導体チップの外部接続端子の数よりも多いことを特徴とする請求項１記載の半導体装置。
【請求項１０】
前記第１半導体チップは、マイコンチップであり、
前記第２半導体チップは、メモリチップであることを特徴とする請求項１または９記載の半導体装置。
【請求項１１】
前記第１配線基板の配線層の数は、前記第２配線基板の配線層の数よりも多いことを特徴とする請求項１または９記載の半導体装置。
【発明の詳細な説明】
【技術分野】
【０００１】
本発明は、半導体装置に関し、特に、複数の半導体パッケージを多段に積層したパッケージ・オン・パッケージ(Package On Package：ＰＯＰ)構造を有する半導体装置に適用して有効な技術に関するものである。
【背景技術】
【０００２】
半導体パッケージの一形態として、一枚の配線基板上に種類の異なる複数の半導体チップ（例えばマイコンチップとメモリチップ）を実装してシステムを構成するシステム・イン・パッケージ(System In Package：ＳＩＰ)が知られている。
【０００３】
この種のＳＩＰの一例として、特開平１０−１２８０９号公報（特許文献１）に記載されたマルチチップ・モジュール(Multi Chip Module：ＭＣＭ)がある。このＭＣＭは、絶縁層と配線層からなる多層配線基板を備えており、この多層配線基板の表面には複数のチップがフリップチップ方式で実装されている。
【０００４】
多層配線基板の裏面には、格子上に配列した複数の外部入出力信号用導電パッドが形成されており、これらのパッド上には半田ボール等からなる外部入出力信号端子が接続されている。また、多層配線基板の表面および内層には、複数のチップの端子と外部入出力信号端子とを接続する信号配線、および複数のチップの端子間を接続する信号配線が形成されている。
【０００５】
さらに、多層配線基板の裏面に配列した外部入出力信号用導電パッドの内側には、複数のチップの端子間を接続し、外部とは接続されない複数の検査用導電端子が形成されており、この検査用導電端子に検査プローブを当てることで、チップの全端子の接続状態および各チップの動作を検査することが可能となっている。
【０００６】
他方、上記ＳＩＰとは異なる形態の半導体パッケージとして、特開２００７−１２３４５４号公報（特許文献２）に記載されたパッケージ・オン・パッケージ(Package On Package：ＰＯＰ)がある。ＰＯＰは、複数のチップを一枚の配線基板上に搭載するＳＩＰとは異なり、例えばマイコンチップを搭載した配線基板からなるパッケージと、メモリチップを搭載した配線基板からなるパッケージを用意し、これらを重ね合わせてチップ同士を接続することによりシステムを構成する積層パッケージである。
【０００７】
ＰＯＰは、複数枚の配線基板を備えているので、システムの多機能化に伴ってマイコンチップの入出力端子数が増加した場合でも、同一実装面積のＳＩＰに比べて信号配線の量を増やすことができる利点がある。また、ＰＯＰは、各配線基板にチップを実装した後にチップ同士を接続するので、チップ同士を接続する工程に先立って、チップと配線基板の接続状態を判定することが可能となり、パッケージの組み立て歩留まりの低減に有効である。さらに、ＳＩＰと比較してシステムの少量・多品種化にも柔軟に対応できる。
【特許文献１】特開平１０−１２８０９号公報
【特許文献２】特開２００７−１２３４５４号公報
【発明の開示】
【発明が解決しようとする課題】
【０００８】
本発明者は、携帯電話などの小型情報通信端末機器用システムとして、従来のＳＩＰに替わり、搭載する半導体チップを、用途に応じて変更することが可能なＰＯＰの導入を検討している。
【０００９】
このＰＯＰは、多層の配線層を有する第１の配線基板の表面（上面）にマイコンチップを実装し、第２の配線基板の表面にメモリチップを実装する。マイコンチップは、その主面の４辺に沿って形成した複数の半田ボールを介して第１の配線基板の表面（信号用パッド）にフリップチップ接続（フェイスダウン実装）される。また、メモリチップは、第２の配線基板の表面にフェイスアップ実装され、複数のＡｕワイヤを介して第２の配線基板の表面の信号用パッドに接続される。
【００１０】
マイコンチップは、ボンディングパッド（外部接続端子）の数がメモリチップに比べ極めて多いので、ボンディングパッド（およびその表面に形成される半田ボール）は、マイコンチップの主面の４辺に沿って２列に配置され、かつ内側の列のボンディングパッドと外側の列のボンディングパッドは、千鳥状に配置される。従って、第１の配線基板の表面に形成される導電パッドも２列に配置され、かつ内側の列の導電パッドと外側の列の導電パッドは、千鳥状に配置される。
【００１１】
マイコンチップが実装された第１の配線基板とメモリチップが実装された第２の配線基板は、第２の配線基板の裏面に形成された複数の半田ボールを介して電気的に接続される。第１の配線基板の表面の中央部にはマイコンチップが実装されるので、これらの半田ボールは、第２の配線基板の裏面の外周部に沿って配置される。第１の配線基板の表面の外周部（マイコンチップの外側）には、これらの半田ボールが接続される導電パッドが形成される。
【００１２】
第１の配線基板の裏面には、前記特許文献１のＳＩＰと同じように、格子上に配列した複数の外部入出力信号用導電パッドが形成され、これらの導電パッド上には半田ボールが接続される。第１の配線基板の表面の信号用パッドと裏面の外部入出力信号用パッドは、基板表面の信号配線、内層の信号配線およびそれらを接続するビアホールを介して電気的に接続される。
【００１３】
上記のように構成されるＰＯＰにおいては、第１の配線基板と第２の配線基板とを接続した後、マイコンチップとメモリチップとの導通状態を確認するためのテスト工程が必要となる。このテストは、マイコンチップとメモリチップに接続されたテスト用導電パッドを第１の配線基板の裏面に形成し、このテスト用導電パッドにプローブを当ててチップ間の導通状態を調べることにより行う。
【００１４】
上記テスト用導電パッドは、従来のＳＩＰが実装されるマザーボードとの互換性や、第１の配線基板の配線層数の増加を考慮すると、前記特許文献１のＳＩＰと同じように、外部入出力信号用導電パッドの内側に配置することが好ましい。
【００１５】
しかしながら、ＰＯＰの場合、マイコンチップが実装された第１の配線基板とメモリチップが実装された第２の配線基板は、第２の配線基板の外周部に配置された半田ボールを介して電気的に接続されるので、テスト用導電パッドを外部入出力信号用導電パッドの内側に配置すると、上記半田ボールとテスト用導電パッドを接続する際に、第１の配線基板内の配線量が多くなる。そのため、配線基板材料である配線と絶縁層の熱膨張係数差に起因して第１の配線基板に反りが生じ易くなる。この反り対策として、絶縁層を厚くし、配線基板に剛性を持たせようとすると、ＰＯＰの薄型化が困難となり、かつ配線基板の製造原価も上昇する。
【００１６】
また、ＰＯＰの小型化、高機能化が進むにつれて、マイコンチップの外部接続端子数が増加すると共に、第１の配線基板の表面に形成される配線や導電パッドの狭ピッチ化が進むため、前述したように、第１の配線基板の表面の導電パッドを２列に配置し、かつ内側の列の導電パッドと外側の列の導電パッドを千鳥状に配置すると、外側の列の導電パッドとテスト用導電パッドとを接続する配線を内側の列の導電パッド間を通して引き回すことが困難となる。
【００１７】
本発明の一つの目的は、ＰＯＰの小型化、高機能化を推進する技術を提供することにある。
【００１８】
本発明の他の目的は、ＰＯＰの信頼性を向上させる技術を提供することにある。
【００１９】
本発明の他の目的は、ＰＯＰの製造コストを低減させる技術を提供することにある。
【００２０】
本発明の前記ならびにその他の目的と新規な特徴は、本明細書の記述および添付図面から明らかになるであろう。
【課題を解決するための手段】
【００２１】
本願において開示される発明のうち、代表的なものの概要を簡単に説明すれば、次のとおりである。
【００２２】
本願発明は、第１上面、前記第１上面に形成された複数の第１上面導電パッド、前記第１上面とは反対側の第１下面、前記第１下面に形成された複数の第１下面導電パッド、前記第１下面に形成された複数のテスト用導電パッド、および前記複数の第１上面導電パッドと前記複数のテスト用導電パッドをそれぞれ電気的に接続する複数の第１配線を有する第１配線基板と、
前記第１配線基板の前記第１上面に搭載された第１半導体チップと、
第２上面、前記第２上面に形成された複数の第２上面導電パッド、前記第２上面とは反対側の第２下面、前記第２下面に形成された複数の第２下面導電パッド、および前記複数の第２上面導電パッドと前記複数の第２下面導電パッドをそれぞれ電気的に接続する複数の第２配線を有し、前記第２下面が前記第１上面と対向するように前記第１配線基板上に積層された第２配線基板と、
前記第２配線基板の前記第２上面に搭載された、前記第１半導体チップとは異なる機能の第２半導体チップと、
前記第１配線基板の前記複数の第１下面導電パッドにそれぞれ接続された複数のバンプ電極と、
を含み、
前記複数のテスト用導電パッドは、前記複数の第１上面導電パッドとそれぞれ電気的に接続されており、
前記複数の第２下面導電パッドは、前記複数の第１上面導電パッドとそれぞれ電気的に接続されており、
前記複数の第２上面導電パッドは、前記複数の第２下面導電パッドとそれぞれ電気的に接続されており、
前記複数の第１上面導電パッドは、平面視において前記第１半導体チップの周囲に配置され、かつ、平面視において前記第１半導体チップよりも前記第１上面の周縁部側に配置されており、
前記複数のテスト用導電パッドは、平面視において前記複数の第１下面導電パッドの周囲に配置され、かつ、平面視において前記複数の第１下面導電パッドよりも前記第１下面の周縁部側に配置されており、
前記複数の第２下面導電パッドは、平面視において前記第２配線基板の前記第２下面の周縁部に配置されており、
前記複数のバンプ電極は、前記複数のテスト用導電パッドにそれぞれ接続されていないものである。
【発明の効果】
【００２３】
本願において開示される発明のうち、代表的なものによって得られる効果を簡単に説明すれば以下のとおりである。
【００２４】
ＰＯＰの小型化、高機能化を推進することができる。また、ＰＯＰの信頼性を向上させることができる。
【発明を実施するための最良の形態】
【００２５】
以下、本発明の実施の形態を図面に基づいて詳細に説明する。なお、実施の形態を説明するための全図において、同一の部材には原則として同一の符号を付し、その繰り返しの説明は省略する。
【００２６】
（実施の形態１）
本実施の形態の半導体装置は、携帯電話などの小型情報通信端末機器に搭載されるパッケージ・オン・パッケージ(ＰＯＰ)である。
【００２７】
まず、図１（断面図）を用いて本実施の形態のＰＯＰの概略構成を説明する。ＰＯＰ１Ａは、第１の半導体チップ２が実装されたベース基板（第１配線基板）３の上部に、第２の半導体チップ４が実装されたメモリ基板（第２配線基板）５を重ね合わせた２層構造の積層型パッケージである。ここで、第１の半導体チップ２は、例えばプログラマブル・ロジック回路とマイコン回路を１チップに集積したものであり、以下の説明ではマイコンチップと称する。また、第２の半導体チップ４は、例えば５１２メガビット、又は１ギガビットの記憶容量を有するＤＲＡＭ(Dynamic Random Access Memory)回路が形成されたものであり、以下の説明ではメモリチップと称する。
【００２８】
なお、図１に示すＰＯＰ１Ａは、メモリ基板５の表面（上面）に２枚のメモリチップ４を積層して１．５ギガビットの記憶容量を実現しているが、メモリ基板５に実装するメモリチップ４の記憶容量や枚数は、適宜変更することができる。すなわち、ＰＯＰ１Ａは、メモリ基板５に実装するメモリチップ４の記憶容量や枚数を変更することにより、マイコンチップ２が実装されたベース基板３側の仕様をほとんど変更することなく、多品種の半導体装置を製造することができる。
【００２９】
ベース基板３は、例えばビルドアップ工法によって製造された６層の配線（表面配線、裏面配線および４層の内層配線）を有する多層配線基板であり、配線層同士を電気的に絶縁する絶縁層は、ガラス繊維または炭素繊維に樹脂を含浸させたプリプレグによって構成されている。また、６層の配線は、例えば銅（Ｃｕ）を主体とする導電膜によって構成されている。図１には、これらの配線の図示が省略されており、ベース基板３の表面（上面）に形成された導電パッド６ｐ、７ｐ、８ｐと、ベース基板３の裏面に形成された外部入出力用導電パッド９ｐおよびテスト用導電パッド１０ｐのみが示されている。
【００３０】
マイコンチップ２は、その主面（下面）に形成された複数の半田ボール１１を介して、ベース基板３の表面の導電パッド（第３導電パッド）６ｐ、７ｐにフリップチップ接続（フェイスダウン接続）されている。マイコンチップ２の主面は、アンダーフィル樹脂１４によって気密封止されている。図示は省略するが、マイコンチップ２は、ボンディングパッド（入出力端子）の数が極めて多いので、ボンディングパッド（およびその表面に接続された半田ボール１１）は、マイコンチップ２の主面の４辺に沿って２列に配置され、かつ、内側の列のボンディングパッドと外側の列のボンディングパッドは、千鳥状に配置されている。
【００３１】
ベース基板３の裏面には、複数の外部入出力用導電パッド（第２導電パッド）９ｐが形成されており、それらの表面には半田ボール１３が電気的に接続されている。ＰＯＰ１Ａは、これらの半田ボール１３を介して情報通信端末機器のマザーボードに実装される。図示は省略するが、ベース基板３の表面の配線と裏面の外部入出力用導電パッド９ｐは、内層配線およびそれらを接続するビアホールを介して電気的に接続されている。
【００３２】
上記外部入出力用導電パッド９ｐの外側には、複数のテスト用導電パッド１０ｐが形成されている。これらのテスト用導電パッド１０ｐは、ＰＯＰ１Ａの組み立てが完了した後、マイコンチップ２とメモリチップ４の導通状態の良否を判定するために使用される端子である。すなわち、ＰＯＰ１Ａの製造メーカは、組み立てが完了したＰＯＰ１Ａをユーザ（情報通信端末機器製造メーカなど）に出荷するに先立って、テスト用導電パッド１０ｐにプローブを当て、マイコンチップ２とメモリチップ４の導通状態を確認する。従って、ユーザが情報通信端末機器のマザーボードにＰＯＰ１Ａを実装する際には、テスト用導電パッド１０ｐをマザーボードに接続する必要はないので、テスト用導電パッド１０ｐには半田ボール１３を接続しない。
【００３３】
一方、２枚のメモリチップ４が実装されたメモリ基板５は、ガラスエポキシ樹脂などを絶縁層とする樹脂基板からなる。２枚のメモリチップ４は、その一方がメモリ基板５の表面にフェイスアップ実装されており、もう一方がダミーチップ１５を介して上記メモリチップ４の上に積層されている。２枚のメモリチップ４のそれぞれは、Ａｕワイヤ１６を介してメモリチップ４の表面の導電パッド１７に電気的に接続されている。２枚のメモリチップ４、ダミーチップ１５、Ａｕワイヤ１６および導電パッド１７は、モールド樹脂２０によって気密封止されている。メモリ基板５の裏面には、図示しないビアホールを介して上記導電パッド１７に電気的に接続された導電パッド１８が形成されており、その表面には半田ボール１２が電気的に接続されている。導電パッド１７、１８のそれぞれは、例えばメモリ基板５の外周部に沿って２列に配置されている。
【００３４】
メモリ基板５の導電パッド１８に接続された半田ボール１２は、ベース基板３の表面の外周部に形成された導電パッド（第１導電パッド）８ｐにも電気的に接続されており、これにより、マイコンチップ２が実装されたベース基板３とメモリチップ４が実装されたメモリ基板５とが電気的に接続されている。半田ボール１２は、ベース基板３に実装されたマイコンチップ２の上面とメモリ基板５の下面とが接触しないよう、マイコンチップ２の主面に形成された半田ボール１１の直径とマイコンチップ２の厚さとを合計した厚さよりも大きい直径を有している。
【００３５】
前述したように、ベース基板３の裏面には、外部入出力用導電パッド９ｐおよびテスト用導電パッド１０ｐが形成されている。図２は、ベース基板３の裏面を示す平面図、図３は、図２の一部（四角枠で囲んだ領域）の拡大平面図である。なお、図２および図３は、外部入出力用導電パッド９ｐに接続された半田ボール１３の図示を省略してある。
【００３６】
図２に示すように、外部入出力用導電パッド９ｐは、ベース基板３の裏面に格子状に配置されている。また、外部入出力用導電パッド９ｐの外側には、テスト用導電パッド１０ｐ（ハッチングで示す）が配置されている。図３に示すように、外部入出力用導電パッド９ｐのそれぞれの近傍にはビアホール２２が形成されており、外部入出力用導電パッド９ｐとその近傍のビアホール２２は、裏面配線（第６層配線）２３によって電気的に接続されている。外部入出力用導電パッド９ｐは、ビアホール２２および裏面配線２３を介して内層配線（図示せず）に電気的に接続されている。また、テスト用導電パッド１０ｐのそれぞれの近傍にもビアホール２２が形成されており、テスト用導電パッド１０ｐとその近傍のビアホール２２は、裏面配線２３によって電気的に接続されている。テスト用導電パッド１０ｐは、ビアホール２２および裏面配線２３を介して後述する内層配線に電気的に接続されている。
【００３７】
図４は、ベース基板３の表面に形成された導電パッド６ｐ、７ｐ、８ｐのレイアウトを示す平面図、図５は、ベース基板３の表面にマイコンチップ２を実装した状態を示す平面図、図６は、図４の一部（四角枠で囲んだ領域）の拡大平面図である。
【００３８】
前述したように、マイコンチップ２のボンディングパッドは、マイコンチップ２の主面の４辺に沿って２列に配置され、かつ内側の列のボンディングパッドと外側の列のボンディングパッドは、千鳥状に配置されている。そのため、図４および図６に示すように、マイコンチップ２のボンディングパッドに接続された半田ボール１１が載置されるベース基板３の導電パッド６ｐ、７ｐも、ベース基板３の４辺と平行な方向に沿って２列に配置され、かつ内側の列の導電パッド６ｐと外側の列の導電パッド７ｐは、千鳥状に配置されている。また、図６に示すように、導電パッド６ｐ、７ｐ、８ｐのそれぞれは、表面配線（第１層配線）２５およびビアホール２４を介して内層配線（図示せず）に接続されている。なお、図４および図５は、図が煩雑になるのを防ぐために、表面配線２５とビアホール２４の図示を省略している。
【００３９】
図７は、ベース基板３の内層（第３層目の配線層）に形成されたＧＮＤプレーン層２６を示す平面図、図８は、第４層目の配線層に形成された電源プレーン層２７を示す平面図である。
【００４０】
ＧＮＤプレーン層２６は、ＰＯＰ１Ａに供給される電源の安定化を図るために、上下層の配線を接続するビアホール（図示せず）が形成される領域を除き、第３層目の配線層のほぼ全面を覆うように形成されている。同様の理由から、電源プレーン層２７も、上下層の配線を接続するビアホール（図示せず）が形成される領域を除き、第４層目の配線層のほぼ全面を覆うように形成されている。
【００４１】
図９は、マイコンチップ２およびメモリチップ４をテスト用導電パッド１０ｐに接続する配線の経路の一例を示す要部断面図である。図９に示すように、ベース基板３に形成された配線層を介して、マイコンチップ２およびメモリチップ４をテスト用導電パッド１０ｐに接続する場合、マイコンチップ２とメモリチップ４は、原則として外側の列の導電パッド７ｐを介して電気的に接続される。その理由は、上記のように、ＰＯＰ構造の場合には、メモリ基板５の導電パッド１８に接続された半田ボール１２とベース基板３との導通を図るための導電パッド（第１導電パッド）８ｐが、マイコンチップ２と電気的に接続するための導電パッド６ｐ、７ｐよりも外（ベース基板の周縁部）側に位置しているためである。また、半導体装置の小型化に伴い、導電パッド６ｐ、７ｐのピッチが狭くなるために、この導電パッド間に配線を引き回すことが困難になるためである。
【００４２】
そのため、図１０に示すように、マイコンチップ２も同様に、マイコンチップ２の主面に形成された複数の導電パッド（電極）１９のうち、外側（マイコンチップ２の周縁部）の列に、原則としてテスト用導電パッド１０ｐに電気的に接続される導電パッド１９を配置している。図９に示す例では、マイコンチップ２とメモリチップ４は、外側の列の導電パッド７ｐと一体に形成された表面配線２５を介して電気的に接続されている。また、この表面配線２５は、ベース基板３の外周近傍に形成された第２層配線３０、第３層配線３１、第４層配線３２、第５層配線３３およびそれらを電気的に接続するビアホール２２、２４、３５を介してテスト用導電パッド１０ｐに電気的に接続されている。
【００４３】
また、図１１に示す例では、マイコンチップ２とメモリチップ４は、外側の列の導電パッド７ｐと一体に形成された表面配線２５、ビアホール２４および第２層配線３０を介して電気的に接続されている。また、この第２層配線３０は、ベース基板３の外周近傍に形成された第３層配線３１、第４層配線３２、第５層配線３３およびそれらを電気的に接続するビアホール２２、２４、３５を介してテスト用導電パッド１０ｐに電気的に接続されている。
【００４４】
なお、配線設計ルールの制約により、外側の列の導電パッド７ｐを介してマイコンチップ２とメモリチップ４を電気的に接続することができない箇所が生じた場合、又はマイコンチップ２の設計ルールの制約により、外側の列のパッド（電極）７ｐにテスト用導電パッド１０ｐと電気的に接続されるパッド（第１パッド）を配置できない場合は、内側の列の導電パッド６ｐを介してマイコンチップ２とメモリチップ４を電気的に接続する。例えば図１２に示す例では、マイコンチップ２とメモリチップ４は、内側の列の導電パッド６ｐと、ビアホール２４と、外側の列の導電パッド７ｐよりもさらに内側に延在する第２層配線３０とを介して電気的に接続されている。また、この第２層配線３０は、ベース基板３の外周近傍に形成された第３層配線３１、第４層配線３２、第５層配線３３およびそれらを電気的に接続するビアホール２２、２４、３５を介してテスト用導電パッド１０ｐに電気的に接続されている。
【００４５】
このように、本実施の形態のＰＯＰ１Ａは、マイコンチップ２とメモリチップ４の導通状態の良否を判定するためのテスト用導電パッド１０ｐを外部入出力用導電パッド９ｐの外側に配置する。そして、マイコンチップ２およびメモリチップ４をテスト用導電パッド１０ｐに電気的に接続する際は、原則として外側の列の導電パッド７ｐを使用し、配線設計ルールの制約によって外側の列の導電パッド７ｐが使用できない場合に限って、内側の列の導電パッド６ｐを使用する。
【００４６】
このようにすることにより、テスト用導電パッド１０ｐを外部入出力用導電パッド９ｐの内側に配置した場合に比べて、半田ボール１２からテスト用導電パッド１０ｐまでの配線経路を短くすることができる。従って、ベース基板３に形成される配線の量が少なくなるので、配線と絶縁層（プリプレグ）の熱膨張係数差に起因するベース基板３の反りを抑制することができる。ベース基板３に形成される配線の量、すなわち配線長が短くなるので、ノイズの低減など、電気特性の向上も期待できる。
【００４７】
また、このようにすることにより、マイコンチップ２およびメモリチップ４とテスト用導電パッド１０ｐとを接続するビアホール３５は、ベース基板３の外周近傍に配置されることになる。他方、テスト用導電パッド１０ｐを外部入出力用導電パッド９ｐの内側に配置した場合は、マイコンチップ２およびメモリチップ４とテスト用導電パッド１０ｐとを接続するビアホールが、ベース基板３の内側に配置される。しかし、このビアホールがベース基板３の内側に配置された場合は、ベース基板３の内層に形成されたＧＮＤプレーン層２６および電源プレーン層２７がビアホールによって分断され易くなるので、それらの面積が減少する。これに対し、マイコンチップ２およびメモリチップ４とテスト用導電パッド１０ｐとを接続するビアホール３５がベース基板３の外周近傍に配置される本実施の形態のＰＯＰ１Ａは、ＧＮＤプレーン層２６および電源プレーン層２７がビアホール３５によって分断され難いので、ＧＮＤプレーン層２６および電源プレーン層２７の面積が増加し、ＰＯＰ１Ａに供給される電源の安定化を図ることができる。
【００４８】
また、外側の列の導電パッド７ｐを使用して、マイコンチップ２およびメモリチップ４をテスト用導電パッド１０ｐに接続することにより、導電パッド７ｐに接続される表面配線２５を導電パッド７ｐの外側に引き出し、内側の列の導電パッド６ｐに接続される表面配線２５を導電パッド６ｐの内側に引き出すことが可能となる。これにより、隣り合う内側の導電パッド６ｐ、６ｐの間や、隣り合う外側の導電パッド７ｐ、７ｐの間を通る表面配線２５が不要となるので、導電パッド６ｐ、７ｐの狭ピッチ化が容易になる。
【００４９】
また、導電パッド６ｐ、７ｐの狭ピッチ化が容易になることにより、ベース基板３の製造コストを低減することができる。すなわち、狭いピッチの導電パッド６ｐ、７ｐの間に配線を配置する配線基板を作製するには、例えばＡＢＦフィルムのような高価な配線基板材料が必要となる。しかし、導電パッド６ｐ、７ｐの間に配線を配置しない場合は、導電パッド６ｐ、７ｐの間に配線を配置する場合よりも緩い配線設計ルールで導電パッド６ｐ、７ｐの狭ピッチ化が可能となるので、ＡＢＦフィルムよりも加工精度が低いが製造原価の安いプリプレグのような配線基板材料を使用することが可能となる。
【００５０】
外側の列の導電パッド７ｐをテスト用導電パッド１０ｐに接続する場合は、ベース基板３の４辺に沿って配置された導電パッド７ｐのうち、ベース基板３のコーナー部とその近傍の領域（例えば前記図４の四角枠で囲んだ領域）に形成された導電パッド７ｐを使用するとよい。
【００５１】
（実施の形態２）
前記実施の形態１では、マイコンチップ２をベース基板３の表面の中央に実装したが、例えば図１３や図１４に示すように、マイコンチップ２をベース基板３の表面の中央からずらした位置に実装してもよい。この場合も、テスト用導電パッド１０ｐに接続される外側の導電パッド７ｐの近傍に導電パッド８ｐを配置し、また、テスト用導電パッド１０ｐを外側の導電パッド７ｐの外側に配置することにより、ベース基板３に形成される配線の量を減らすことができる。
【００５２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５３】
例えばベース基板（第１配線基板）上に複数のメモリ基板（第２配線基板）を積層することもできる。また、メモリ基板（第２配線基板）に実装するメモリチップ（第２の半導体チップ）は、ＤＲＡＭ以外のメモリ回路、例えばフラッシュメモリ回路を有するメモリチップであってもよい。
【産業上の利用可能性】
【００５４】
本発明は、複数の半導体パッケージを多段に積層したパッケージ・オン・パッケージ(ＰＯＰ)構造を有する半導体装置に適用して有効である。
【図面の簡単な説明】
【００５５】
【図１】本発明の一実施の形態であるＰＯＰの概略構成を示す断面図である。
【図２】ＰＯＰの一部を構成するベース基板の裏面を示す平面図である。
【図３】図２の一部を示す拡大平面図である。
【図４】ＰＯＰの一部を構成するベース基板の表面に形成された導電パッドのレイアウトを示す平面図である。
【図５】ＰＯＰの一部を構成するベース基板の表面にマイコンチップを実装した状態を示す平面図である。
【図６】図４の一部を示す拡大平面図である。
【図７】ＰＯＰの一部を構成するベース基板の内層に形成されたＧＮＤプレーン層を示す平面図である。
【図８】ＰＯＰの一部を構成するベース基板の内層に形成された電源プレーン層を示す平面図である。
【図９】ＰＯＰに実装されたマイコンチップおよびメモリチップをテスト用導電パッドに接続する配線の経路の一例を示す要部断面図である。
【図１０】ＰＯＰに実装されたマイコンチップの主面を示す平面図である。
【図１１】ＰＯＰに実装されたマイコンチップおよびメモリチップをテスト用導電パッドに接続する配線の経路の別例を示す要部断面図である。
【図１２】ＰＯＰに実装されたマイコンチップおよびメモリチップをテスト用導電パッドに接続する配線の経路の別例を示す要部断面図である。
【図１３】ＰＯＰの一部を構成するベース基板の表面にマイコンチップを実装した状態を示す平面図である。
【図１４】ＰＯＰの一部を構成するベース基板の表面にマイコンチップを実装した状態を示す平面図である。
【符号の説明】
【００５６】
１Ａ  ＰＯＰ
２  マイコンチップ（第１の半導体チップ）
３  ベース基板（第１配線基板）
４  メモリチップ（第２の半導体チップ）
５  メモリ基板（第２配線基板）
６ｐ、７ｐ  導電パッド（第３導電パッド）
８ｐ  導電パッド（第１導電パッド）
９ｐ  外部入出力用導電パッド（第２導電パッド）
１０ｐ  テスト用導電パッド
１１、１２、１３  半田ボール
１４  アンダーフィル樹脂
１５  ダミーチップ
１６  Ａｕワイヤ
１７、１８、１９  導電パッド
２０  モールド樹脂
２１  パッド
２２  ビアホール
２３  裏面配線
２４  ビアホール
２５  表面配線
２６  ＧＮＤプレーン層
２７  電源プレーン層
３０  第２層配線
３１  第３層配線
３２  第４層配線
３３  第５層配線
３５  ビアホール
【図１】
0005222509.tif 000002
【図２】
0005222509.tif 000003
【図３】
0005222509.tif 000004
【図４】
0005222509.tif 000005
【図５】
0005222509.tif 000006
【図６】
0005222509.tif 000007
【図７】
0005222509.tif 000008
【図８】
0005222509.tif 000009
【図９】
0005222509.tif 000010
【図１０】
0005222509.tif 000011
【図１１】
0005222509.tif 000012
【図１２】
0005222509.tif 000013
【図１３】
0005222509.tif 000014
【図１４】
0005222509.tif 000015